(57)【要約】【課題】ハツリ作業の騒音を無くし、コンクリートのガラや塵埃の発生を防いで、既設配管をコンクリートスラブや壁等の既設建物の貫通穴から容易にかつ確実に抜管することできる既設配管の抜管装置および既設配管の抜管方法を提供する。【解決手段】既設配管の抜管装置１０は、建物の構造部分１０１に貫通して配置されて下端部が切断された既設配管Ｔを、構造部分１０１から上方に抜くための既設配管の抜管装置であって、既設配管Ｔの切断端部Ｔ１に対して一端部が着脱可能に装着される既設配管接続具１１と、構造部分の下部にある基部１０２に対して下端部が配置され、上端部が既設配管接続具１１の他端部を着脱可能に保持して、既設配管接続具１１を押し上げて既設配管Ｔを構造部分１０１から上方に抜くための押上操作部１２とを備える。【選択図】図２
2010230112.tif 000002
【特許請求の範囲】
【請求項１】
建物の構造部分に貫通して配置されて下端部が切断された既設配管を、前記構造部分から上方に抜くための既設配管の抜管装置であって、
前記既設配管の切断端部に対して一端部が着脱可能に装着される既設配管接続具と、
前記構造部分の下部にある基部に対して下端部が配置され、上端部が前記既設配管接続具の他端部を着脱可能に保持して、前記既設配管接続具を押し上げて前記既設配管を前記構造部分から上方に抜くための押上操作部と、
を備えることを特徴とする既設配管の抜管装置。
【請求項２】
前記既設配管接続具は、
前記既設配管の切断端部に対して嵌め込んで装着される上端装着部を有する既設配管押出部材と、
前記既設配管押出部材の下端装着部に嵌め込んで接続される上端部と、前記押上操作部の上部に対して接続される下端部を有する受け継ぎ部材と、を有することを特徴とする請求項１に記載の既設配管の抜管装置。
【請求項３】
前記押上操作部は、前記基部に対して立てて配置されるサポート部材と、
前記サポート部材の上端部と前記既設配管接続具の他端部の間に配置されて、前記既設配管接続具を押し上げて前記既設配管を前記構造部分から抜くためのジャッキ部材と、を有することを特徴とする請求項１または請求項２に記載の既設配管の抜管装置。
【請求項４】
前記ジャッキ部材は、前記サポート部材に接続され、操作部を回転することで前記サポート部材に対して上方移動して前記既設配管接続具を押し上げて前記既設配管を前記構造部分から抜く構成となっていることを特徴とする請求項３に記載の既設配管の抜管装置。
【請求項５】
前記建物の前記構造部分はコンクリートスラブであり、前記建物の前記基部は前記スラブの下側に位置する別のコンクリートスラブであることを特徴とする請求項４に記載の既設配管の抜管装置。
【請求項６】
建物の構造部分に貫通して配置されて下端部が切断された既設配管を、前記構造部分から上方に抜くための既設配管の抜管方法であって、
既設配管接続具の一端部が、前記既設配管の切断端部に対して着脱可能に装着され、
押上操作部の下端部が、前記構造部分の下部にある基部に対して配置され、前記押上操作部の上端部が前記既設配管接続具の他端部を着脱可能に保持して、前記押上操作部の操作により前記既設配管接続具を押し上げて前記既設配管を前記構造部分から上方に抜くことを特徴とすることを特徴とする既設配管の抜管方法。
【発明の詳細な説明】
【技術分野】
【０００１】
本発明は、既設配管の抜管装置および既設配管の抜管方法に関し、特に既存建物に設けられた給排水用の衛生設備配管や空調用配管あるいはガス配管等の既設配管を建物から上方に抜くための既設配管の抜管装置および既設配管の抜管方法に関するものである。
【背景技術】
【０００２】
既存建物における老朽化した既設配管を新たな配管に取り替える更新工事をする場合には、コンクリートスラブや壁等を貫通している既設配管を貫通穴から抜き取り、既設配管を抜き取った後にコンクリートスラブや壁等にできた貫通穴に対して新たな配管を通して接続することが行われている。
【０００３】
また、コンクリートスラブや壁等に埋まっている既設配管をそのまま抜き取ることなく残して切断して、この切断により残された既設配管の部分の中に、この既設配管の内径よりも外径の小さな新たな配管を挿入して、短時間で既設配管の更新を行う方法が開示されている（特許文献１を参照。）
【先行技術文献】
【特許文献】
【０００４】
【特許文献１】特開２００５−２１４３７６号公報
【発明の概要】
【発明が解決しようとする課題】
【０００５】
しかし、このように既設配管の更新作業をする場合には、コンクリートスラブや壁に埋まっている既設配管を抜き取るために、既設配管の埋設部分の周囲のコンクリートや壁および既設配管の周囲に充填されているモルタルを、エアー掘削器等を用いてハツリ作業を行った後で、既設配管を切断して抜き取らなければならず、ハツリ作業の騒音が大きく、コンクリートのガラや塵埃が多量に発生するおそれがある。
【０００６】
また、切断により残された既設配管の部分の中にこの既設配管の内径よりも外径の小さな新たな配管を挿入する場合には、騒音問題やガラや塵埃が多量に発生することはない。しかし、外径の小さい新たな配管を既設配管に対して挿入することから、既設配管の内径に比べて新たな配管の内径は小さくなるので、新たな配管内に通る水や空気あるいはガスの流量が低下する。従って、新たな配管の内径をできるだけ大きくして、新しい配管内に通る水や空気あるいはガスの流量を落とさないようにして、既設配管と新たな配管とが同じ流体供給能力を発揮できるようにするために、新たな配管の肉厚をできるだけ薄くすることが必要となる。このため、新たな配管の材質は例えばステンレス配管を用いなければならないという制約が生じる。
【０００７】
そこで、上記課題を解消するために、本発明は、ハツリ作業の騒音を無くし、コンクリートのガラや塵埃の発生を防いで、既設配管をコンクリートスラブや壁等の既設建物の貫通穴から容易にかつ確実に抜管することできる既設配管の抜管装置および既設配管の抜管方法を提供することを目的とする。
【課題を解決するための手段】
【０００８】
前記課題は、本発明によれば、建物の構造部分に貫通して配置されて下端部が切断された既設配管を、前記構造部分から上方に抜くための既設配管の抜管装置であって、前記既設配管の切断端部に対して一端部が着脱可能に装着される既設配管接続具と、前記構造部分の下部にある基部に対して下端部が配置され、上端部が前記既設配管接続具の他端部を着脱可能に保持して、前記既設配管接続具を押し上げて前記既設配管を前記構造部分から上方に抜くための押上操作部と、を備えることを特徴とする既設配管の抜管装置により達成される。
【０００９】
前記構成によれば、既設配管の切断端部に対して一端部が着脱可能に装着される既設配管接続具と、構造部分の下部にある基部に対して下端部が配置され、上端部が既設配管接続具の他端部を着脱可能に保持して、既設配管接続具を押し上げて既設配管を構造部分から上方に抜くための押上操作部と、を備えているので、ハツリ作業の騒音を無くし、コンクリートのガラや塵埃の発生を防いで、既設配管をコンクリートスラブや壁等の既設建物の貫通穴から容易にかつ確実に抜管することできる。
【００１０】
好ましくは、前記既設配管接続具は、前記既設配管の切断端部に対して嵌め込んで装着される上端装着部を有する既設配管押出部材と、前記既設配管押出部材の下端装着部に嵌め込んで接続される上端部と、前記押上操作部の上部に対して接続される下端部を有する受け継ぎ部材と、を有することを特徴とする既設配管の抜管装置である。
【００１１】
前記構成によれば、既設配管接続具は、既設配管の切断端部に対して嵌め込んで装着される上端装着部を有する既設配管押出部材と、既設配管押出部材の下端装着部に嵌め込んで接続される上端部と、押上操作部の上部に対して接続される下端部を有する受け継ぎ部材と、を有する。これにより、既設配管押出部材の直径を既設配管の切断端部に合わせて選択することで、確実に既設配管の切断端部に対して接続できる。また、既設配管押出部材の長さを変えることで、異なる階高に対応して既設配管の抜管作業をすることができる。
【００１２】
好ましくは、前記押上操作部は、前記基部に対して立てて配置されるサポート部材と、前記サポート部材の上端部と前記既設配管接続具の他端部の間に配置されて、前記既設配管接続具を押し上げて前記既設配管を前記構造部分から抜くためのジャッキ部材と、を有することを特徴とする既設配管の抜管装置である。
【００１３】
前記構成によれば、押上操作部は、基部に対して立てて配置されるサポート部材と、サポート部材の上端部と既設配管接続具の他端部の間に配置されて、既設配管接続具を押し上げて既設配管を構造部分から抜くためのジャッキ部材と、を有するので、既設配管は、ジャッキ部材の力を用いて構造部分から上方に簡単に確実に抜くことができる。
【００１４】
好ましくは、前記ジャッキ部材は、前記サポート部材に接続され、操作部を回転することで前記サポート部材に対して上方移動して前記既設配管接続具を押し上げて前記既設配管を前記構造部分から抜く構成となっていることを特徴とする既設配管の抜管装置である。
【００１５】
前記構成によれば、ジャッキ部材は、サポート部材に接続され、操作部を回転することで前記サポート部材に対して上方移動して既設配管接続具を押し上げて既設配管を構造部分から抜く構成となっているので、既設配管は、ジャッキ部材の力を用いて構造部分から上方に容易に確実に抜くことができる。
【００１６】
好ましくは、前記建物の前記構造部分はコンクリートスラブであり、前記建物の前記基部は前記スラブの下側に位置する別のコンクリートスラブであることを特徴とする既設配管の抜管装置である。
【００１７】
前記構成によれば、建物の前記構造部分はコンクリートスラブであり、建物の基部はスラブの下側に位置する別のコンクリートスラブであるので、構造部分がコンクリートスラブであっても、既設配管は上方に向けて簡単に確実に抜くことができる。
【００１８】
前記課題は、本発明によれば、建物の構造部分に貫通して配置されて下端部が切断された既設配管を、前記構造部分から上方に抜くための既設配管の抜管方法であって、既設配管接続具の一端部が、前記既設配管の切断端部に対して着脱可能に装着され、押上操作部の下端部が、前記構造部分の下部にある基部に対して配置され、前記押上操作部の上端部が前記既設配管接続具の他端部を着脱可能に保持して、前記押上操作部の操作により前記既設配管接続具を押し上げて前記既設配管を前記構造部分から上方に抜くことを特徴とすることを特徴とする既設配管の抜管方法により達成される。
【００１９】
前記構成によれば、既設配管接続具の一端部が、既設配管の切断端部に対して着脱可能に装着され、押上操作部の下端部が、構造部分の下部にある基部に対して配置され、押上操作部の上端部が既設配管接続具の他端部を着脱可能に保持して、押上操作部の操作により既設配管接続具を押し上げて既設配管を構造部分から上方に抜く。これにより、ハツリ作業の騒音を無くし、コンクリートのガラや塵埃の発生を防いで、既設配管をコンクリートスラブや壁等の既設建物の貫通穴から容易にかつ確実に抜管することできる。
【発明の効果】
【００２０】
本発明は、ハツリ作業の騒音を無くし、コンクリートのガラや塵埃の発生を防いで、既設配管をコンクリートスラブや壁等の既設建物の貫通穴から容易にかつ確実に抜管することできる既設配管の抜管装置および既設配管の抜管方法を提供することができるという利点がある。
【図面の簡単な説明】
【００２１】
【図１】本発明の既設配管の抜管装置の好ましい実施の形態を示している正面図である。
【図２】図１の既設配管の抜管装置を示す斜視図である。
【図３】図１の既設配管の抜管装置の一部を省略し拡大して示す正面図である。
【図４】図１の既設配管の抜管装置の一部をさらに拡大して示す分解図である。
【図５】ジャッキ部材の一例を示す図である。
【図６】既設配管を上部スラブから抜管する様子を示す図である。
【図７】本発明の別の実施の形態を示す正面図である。
【図８】押上操作部の構造例を示す一部断面を有する正面図である。
【発明を実施するための形態】
【００２２】
以下に、本発明の好ましい実施形態を、図面を参照して詳しく説明する。
図１は、本発明の既設配管の抜管装置の好ましい実施の形態を示している正面図である。図２は、図１の既設配管の抜管装置を示す斜視図であり、図３は、図１の既設配管の抜管装置の一部を省略し拡大して示す正面図である。図４は、図１の既設配管の抜管装置の一部をさらに拡大して示す分解図である。
図１に示す既設配管の抜管装置１０は、既存建物１００に構造部分のパイプシャフトＰＳに貫通して上下方向に沿って配置されて、下端部が切断された既設配管Ｔを構造部分から上方に向けて抜くための装置である。既設配管の抜管装置１０は、既設配管接続具１１と、押上操作部１２と、を備える。
【００２３】
図１〜図３に示すように、本実施の形態における既存建物は、例えばコンクリート構造の集合住宅を例に示している。既設配管の抜管装置１０は、既設建物の上部スラブ１０１と下部スラブ１０２の間に垂直方向ＣＬに沿って設定されている。上部スラブ１０１と下部スラブ１０２は既存建物１００の構造部分であり、下部スラブ１０２は、既設配管の抜管装置１０を設置するための基部に相当する。抜管作業対象となる既設配管Ｔは、一例として給排水管である。上部スラブ１０１と下部スラブ１０２の階高は、例えば２６００ｍｍであり、上部スラブ１０１と下部スラブ１０２の厚みは、例えば１５０ｍｍである。
【００２４】
図１〜図３に示す既設配管接続具１１の一端部は、既設配管Ｔの切断端部Ｔ１に着脱可能に装着され、既設配管接続具１１の他端部は、押上操作部１２の上端部に着脱可能に装着される。押上操作部１２の下端部は、構造部分の下部にある基部に対して配置され、押上操作部１２の上端部は、既設配管接続具１１の他端部を着脱可能に保持して、既設配管接続具１１を押し上げて既設配管Ｔを構造部分から上方へ抜くための部分である。
図２と図３に示すように、既設配管Ｔは、上部スラブ１０１の貫通穴１２０に嵌め込まれている。既設配管Ｔは例えば鋼管であり、既設配管Ｔの周囲には、防食テープ１２１が巻かれており、しかも防食テープ１２１と貫通穴１２０の内周面との間にはモルタル１２２が充填されている。既設配管Ｔは、上部スラブ１０１よりも下側の部分が予め切断されており、切断端部Ｔ１になっている。
【００２５】
図３と図４に示すように、既設配管接続具１１は、円筒パイプ状の既設配管押出部材２０と、円筒パイプ状の受け継ぎ部材３０とから構成されている。既設配管押出部材２０は、細径の上端装着部２１と、細径の下端装着部２２を有する。上端装着部２１は既設配管Ｔの切断端部Ｔ１に対して嵌め込んで装着される。この既設配管押出部材２０は、既設配管Ｔの切断端部Ｔ１のサイズに合わせて用いられ、既設配管押出部材２０は既設配管Ｔの切断端部Ｔ１と受け継ぎ部材３０とを繋ぐ治具の役割を果たす。
【００２６】
受け継ぎ部材３０は、上端部３１と下端部３２を有する。上端部３１は、既設配管押出部材２０の下端装着部２２に着脱可能に嵌め込んで接続される部分である。下端部３２は、押上操作部１２の上部に対して着脱可能に接続される。
図１と図２に示すように、押上操作部１２は、サポート部材４１と、ジャッキ部材４２とを有する。サポート部材４１は、基部である下部スラブ１０２に対して中心軸ＣＬに沿って立てて配置される。ジャッキ部材４２は、サポート部材４１に着脱可能に固定され、操作部４４を操作することでサポート部材４１に対して上移動して既設配管接続具１１をＺ１方向（図１参照）に押し上げて、既設配管Ｔを構造部分である上部スラブ１０１の貫通穴１２０から上方に抜くための部分である。
【００２７】
サポート部材４１としては、例えば型枠用のパイプサポートを用いることができる。サポート部材４１は下部フランジ部４１Ｂと上部フランジ部４１Ｃを有する。このサポート４１の長さは、例えば９００〜１４００ｍｍのものを採用できる。ジャッキ部材４２は、図５に示すように、一例として油圧ジャッキであり、揚重能力は例えば１０トンである。ジャッキ部材４２は、本体部４３とハンドル４４を有しており、作業者がハンドル４４を手動操作することにより、本体部４３の押圧シリンダー部材４５がＺ１方向に押し上げられるようになっている。図４に示すように、ジャッキ部材４２の押圧シリンダー部材４５と受け継ぎ部材３０の下端部３２との間は、受け部材４７を介して連結されている。
【００２８】
次に、上述した既設配管の抜管装置１０を組み立てて既設配管Ｔを上部スラブ１０１から抜管する方法について説明する。なお、図６は、既設配管Ｔを上部スラブ１０１から抜管する様子を示す図である。
図１と図２に示すように、作業者は既設配管の抜管装置１０を次のようにして組み立てる。作業者は、下部スラブ１０２上にサポート部材４１の下部フランジ部４１Ｂを置いて、サポート部材４１を中心軸ＣＬに沿って垂直になるように立てる。作業者は、サポート部材４１の上部フランジ部４１Ｃの上にジャッキ部材４２を固定する。
【００２９】
一方、既設配管Ｔは、上部スラブ１０１の下側の位置で切断工具を用いて切断されて切断端部Ｔ１が形成される。既設配管押出部材２０の上端装着部２１は、既設配管Ｔの切断端部Ｔ１内に嵌め込んで装着される。この既設配管押出部材２０は、既設配管Ｔの切断端部Ｔ１のサイズに合わせて用いられ、既設配管Ｔの切断端部Ｔ１と受け継ぎ部材３０とを繋ぐ治具の役割を果たす。しかも、受け継ぎ部材３０の上端部３１は、既設配管押出部材２０の下端装着部２２内に着脱可能に嵌め込んで接続される。下端部３２は、押上操作部１２の押圧シリンダー部材４５に対して、受け部材４７を介して連結され着脱可能に接続される。
これにより、既設配管接続具１１と押上操作部１２は、既設配管Ｔの切断端部Ｔ１と下部スラブ１０２の間で、中心軸ＣＬを中心として、Ｚ１方向に立てて配置することができる。
【００３０】
次に、作業者は、図５に示すハンドル４４を手動操作することにより、本体部４３の押圧シリンダー部材４５がＺ１方向（図１参照）に押し上げられるので、図６（Ａ）〜図６（Ｂ）に示すように、既設配管Ｔの切断端部Ｔ１が上部スラブ１０１の貫通穴１２０のモルタル１２２からＺ１方向に容易に確実に抜くことができる。このように、既設配管Ｔを上部スラブ１０１の貫通穴１２０のモルタル１２２から抜管作業をする際に、従来必要であった上部スラブ１０１やモルタル１２２のハツリ作業が不要で騒音を無くすことができ、コンクリートのガラや塵埃の発生を防いで、既設配管Ｔをコンクリートスラブの貫通穴１２０から容易にかつ確実に抜管できる。
【００３１】
既設配管Ｔが鋼管である場合には、図１と図２に示すように、防食テープとモルタルが介在されているので、鋼管の既設配管Ｔは、例えば防食テープが不要な塩化ビニル製の既設配管Ｔに比べて抜く力が大きくなるが、このように鋼管の既設配管Ｔであっても容易に抜くことができる。
また、既設配管Ｔの切断端部Ｔ１が上部スラブ１０１の貫通穴１２０のモルタル１２２からＺ１方向（上方）に向けて抜くことができるので、抜いた既設配管Ｔが落下することが無く、抜管作業の際の安全性を確保できる。
既設配管Ｔは、ジャッキ部材４２を用いて所定の範囲内の力で上に押してスラブの貫通穴１２０から抜くので、スラブのモルタルを破壊せずに抜くことができるので、新たな配管をスラブの貫通穴１２０に対して確実に挿入することができる。
長さの異なる既設配管接続具１１を用意することで、階高Ｓの大きさに合わせて確実に既設配管Ｔの抜管作業を行うことができる。
【００３２】
次に、図７と図８を参照して、本発明の別の実施の形態を説明する。
図７は、本発明の別の実施の形態を示す正面図であり、図８は、押上操作部１２Ｂの構造例を示す一部断面を有する正面図である。
図７に示す本発明の実施の形態が、図１に示す本発明の実施の形態と異なるのは、次の点であり、その他の要素については実質的に同じであるので、同じ符号を記してその説明を省略する。
【００３３】
図７に示す本発明の実施の形態では、押上操作部１２Ｂの構造が異なる。押上操作部１２Ｂは、図８に示すように、円筒パイプ状のサポート部材１５１と、円筒パイプ状のジャッキ部材１５２を有する。サポート部材１５１は、下部フランジ部１５４を有しており、サポート部材１５１の下部フランジ部１５４は、基部である下部スラブ１０２に対して立てて配置される。ジャッキ部材１５２は、上部フランジ部１５３を有しており、上部フランジ部１５３は、受け継ぎ部材３０の下端部３２が着脱可能に連結される。
【００３４】
ジャッキ部材１５２の構造例を図８に示しており、操作部１５５はハンドル１５６を有している。操作部１５５はジャッキ部材１５２に対して固定されている。ジャッキ部材１５２は、オネジ部１５７を有している。これに対して、サポート部材１５１の内側にはメネジ部１５８が形成されており、オネジ部１５７はメネジ部１５８に噛み合っている。これにより、作業者がハンドル１５６を持って操作部１５５を、中心軸ＣＬを中心にして回転することで、ジャッキ部材１５２はサポート部材１５１に対してＺ１方向に上昇したりＺ２方向に下降することができる。
【００３５】
ところで、本発明は上記実施形態に限定されず、種々の変形例を採用することができる。抜管作業対象となる既設配管は、一例として給排水管であるが、これに限らず、空調用配管あるいはガス配管等であっても良く、既設配管の太さや材質にも特に限定されない。既設配管Ｔが挿入して固定されている建物部分は、コンクリートスラブだけでなく壁等であっても良く、特に限定されない。
既存建物としては、集合住宅以外の用途の建物であっても良い。既設配管接続具１１の円筒パイプ状の既設配管押出部材２０と円筒パイプ状の受け継ぎ部材３０は、別々の部材ではなく一本の円筒パイプ状の部材であっても良い。
【符号の説明】
【００３６】
１０・・・既設配管の抜管装置、１１・・・既設配管接続具、１２，１２Ｂ・・・押上操作部、２０・・・既設配管押出部材、２１・・・上端装着部、２２・・・下端装着部、３０・・・受け継ぎ部材、３１・・・上端部、３２・・・下端部、４１・・・サポート部材、４１Ｂ・・・下部フランジ部、４１Ｃ・・・上部フランジ部、４２・・・ジャッキ部材、４３・・・本体部、４４・・・ハンドル、４７・・・受け部材、１００・・・既存建物、１０１・・・上部スラブ、１０２・・・下部スラブ、１０２・・・上部スラブの貫通穴、１２０・・・貫通穴、ＣＬ・・・垂直方向、Ｔ・・・既設配管Ｔ、Ｔ１・・・切断端部
【図１】
2010230112.tif 000003
【図２】
2010230112.tif 000004
【図３】
2010230112.tif 000005
【図４】
2010230112.tif 000006
【図５】
2010230112.tif 000007
【図６】
2010230112.tif 000008
【図７】
2010230112.tif 000009
【図８】
2010230112.tif 000010